(57)【要約】【課題】鍵の適切な平行移動を維持しつつ、長手方向においてコンパクトにする。【解決手段】白鍵ＷＫ１は、アクチュエータ３１と、前後２つの被ガイド部３２ｆ、３２ｒとを有する。平面視においては、被ガイド部３２ｆ、３２ｒ、アクチュエータ３１は、鍵フレーム２０のガイド部２２ｆ、２２ｒ、スイッチ用穴２１の位置に対応している。押鍵終了位置まで押下された白鍵ＷＫ１は、弾性膨出部４６からの反力によって非押鍵位置に復帰する。平行維持部材３４は、鍵の長手方向に延設される延設部３５を有し、接続部３６ｆ、３６ｒによって可動部３８ｆ、３８ｒが延設部３５に接続される。平行維持部材３４の少なくとも接続部３６ｆ、３６ｒに相当する部分が、鍵の長手方向における被ガイド部３２ｆと被ガイド部３２ｒとの間に存在する。【選択図】図１
2016151698.tif 000002
【特許請求の範囲】
【請求項１】
押下操作されると非操作位置から押鍵終了位置まで押下方向に対して略平行に運動する鍵を複数有する鍵盤装置であって、
前記各鍵が配設されるフレームと、
前記鍵において下方に突設されたアクチュエータと、
前記鍵の長手方向における前記アクチュエータの両側において前記鍵に設けられた第１の被ガイド部及び第２の被ガイド部と、
前記アクチュエータに対応して前記フレームに配設され、前記アクチュエータによって駆動されて、押下された鍵を非操作位置の方向へ付勢する付勢手段と、
前記第１の被ガイド部及び前記第２の被ガイド部に対応して前記フレームに配設され、前記第１の被ガイド部及び前記第２の被ガイド部とそれぞれ係合して前記鍵の動作をガイドする第１のガイド部及び第２のガイド部と、
前記各鍵の操作時に平行状態を維持させるための平行維持手段と、を有し、
前記平行維持手段は、前記鍵の長手方向に延設され前記鍵に対して回動自在に設けられた延設部と、前記フレームに対して前記鍵の幅方向に変位自在にされた可動部と、前記延設部と前記可動部とを接続する接続部とからなり、
平面視において、前記接続部は、前記鍵の長手方向における前記第１の被ガイド部と前記第２の被ガイド部との間に存在することを特徴とする鍵盤装置。
【請求項２】
平面視において、前記平行維持手段の全体が、前記鍵の長手方向における前記第１の被ガイド部と前記第２の被ガイド部との間に存在することを特徴とする請求項１記載の鍵盤装置。
【請求項３】
前記接続部には第１の接続部と第２の接続部とがあり、前記可動部には第１の可動部と第２の可動部とがあり、前記第１の可動部が前記第１の接続部によって前記延設部に接続されると共に、前記第２の可動部が前記第２の接続部によって前記延設部に接続され、平面視において、前記第１の接続部は前記鍵の長手方向における前記第１の被ガイド部と前記付勢手段との間に存在し、前記第２の接続部は前記鍵の長手方向における前記第２の被ガイド部と前記付勢手段との間に存在することを特徴とする請求項１または２記載の鍵盤装置。
【請求項４】
前記鍵の非操作位置から押鍵終了位置までの動作範囲に対応する前記平行維持手段の前記可動部の可動域は、対応する鍵の幅の範囲内であることを特徴とする請求項１〜３のいずれか１項に記載の鍵盤装置。
【請求項５】
前記第１のガイド部及び前記第２のガイド部は、前記鍵の長手方向の長さよりも前記鍵の幅方向の長さの方が長いことを特徴とする請求項１〜４のいずれか１項に記載の鍵盤装置。
【請求項６】
複数の鍵を有する鍵盤部と、
前記鍵の並び方向における前記鍵盤部の一端部側に配置され、検出信号に基づき楽音信号を生成する楽音生成部と、
前記鍵の各々の操作を検出して検出信号を出力する機能を有する積層構造の積層シートと、
前記鍵の並び方向における前記鍵盤部の他端部側に配置され、複数の鍵を有する鍵ユニットを接続するためのコネクタ部と、
前記コネクタ部に接続された鍵ユニットから出力される検出信号を前記楽音生成部へ転送するための信号ラインを有した転送用シートと、を有し、
前記転送用シートは、前記積層シートに対して積層状態で配設されたことを特徴とする電子鍵盤楽器。
【請求項７】
前記積層シートは、それぞれ各鍵に対応した接点を有する上シート及び下シートと、前記接点に対応する穴を有して前記上シートと前記下シートとの間に配置され、前記鍵の非操作状態において前記上シートと前記下シートの接点同士を離間状態にするスペーサシートとからなり、
前記転送用シートは前記下シートの下に配置され、
前記楽音生成部が実装される基板が、前記上シートの端部と前記転送用シートの端部とにより厚み方向に挟まれることを特徴とする請求項６記載の電子鍵盤楽器。
【請求項８】
前記転送用シートには、アースラインが配設されると共に、前記信号ラインが、前記コネクタ部に接続された鍵ユニットの各鍵に対応して配設されることを特徴とする請求項６または７記載の電子鍵盤楽器。
【請求項９】
前記鍵盤部の各鍵に対応して設けられ、対応する鍵に駆動されて該鍵に対して復帰力を与える弾性膨出部を有する弾性シートが、前記積層シートの上に積層配置されたことを特徴とする請求項６〜８のいずれか１項に記載の電子鍵盤楽器。
【発明の詳細な説明】
【技術分野】
【０００１】
本発明は、押下操作されると非操作位置から押鍵終了位置まで押下方向に対して略平行に運動する鍵を複数有する鍵盤装置に関する。また、本発明は、鍵ユニットを接続できる電子鍵盤楽器に関する。
【背景技術】
【０００２】
従来、下記特許文献１、２、３に示されるように、鍵が押下方向に平行移動するいわゆる平行鍵盤が知られている。この種の鍵盤装置では、例えば、鍵がリンク機構やアーム機構を介してフレームに配設される。そして、リンク機構やアーム機構に付勢力を発揮する機構を設け、押鍵された鍵を非押鍵位置に復帰させる。
【０００３】
一方、鍵盤装置ではないが、スイッチ装置においては、操作子が押下方向に適切に変位するように、円筒状のガイド部によって移動をガイドするようにしたものが知られている（下記特許文献４）。押しボタン式のスイッチ操作子のアクチュエータが、接点ラバーを押下すると、接点ラバーの弾性膨出部が発揮する反力によって非操作位置に操作子が戻る。
【先行技術文献】
【特許文献】
【０００４】
【特許文献１】特開平４−６６９９５号公報
【特許文献２】特許第２６８４８２７号公報
【特許文献３】特許第３３３２１７４号公報
【特許文献４】実開平４−９９３２２号公報
【特許文献５】特開２００３−３０２９７５号公報
【発明の概要】
【発明が解決しようとする課題】
【０００５】
鍵は前後方向に長いから、平行鍵盤において一般に、鍵は平行移動の際に前後方向に姿勢が傾斜すると動きが円滑でなくなる。従って、鍵の全体を安定して平行運動させるためには、動作をガイドするガイド部や鍵に復帰力を与える付勢部を、鍵の長手方向において２個以上設けることが好ましい。ところが、これらガイド部や付勢部を多く設けると鍵の長手方向において配設領域を浸食し、特に鍵の長手方向における鍵盤装置のコンパクト化に支障が出る。また、上記特許文献３のように、鍵の幅方向の外側にアーム機構がはみ出る構造では、鍵の下方に配設されるスイッチ等の配設の自由度も低くなり、コンパクト化の障害となり得る。
【０００６】
ところで、従来、パーソナルコンピュータへ演奏情報の入力等を行う場合に、鍵数の少ない鍵盤を用いることが行われる。リアルタイムでより広い音域の演奏を入力しやすくするために、鍵ユニットを直列接続して増設することで鍵域を拡大できる電子鍵盤楽器が提案されている（特許文献５）。増設される鍵ユニットにおける鍵操作の検出信号の送信に関しては、通信インターフェイスによる通信が開示されている。
【０００７】
しかし、特許文献５には、信号転送のための配線構造や接続態様の詳細については記載されていない。特に、鍵ユニットを接続できる構造にする上で、鍵盤楽器の厚み（上下方向のサイズ）を小型化することに関しての観点は開示されていない。
【０００８】
本発明は上記従来技術の問題を解決するためになされたものであり、その第１の目的は、鍵の適切な平行移動を維持しつつ、長手方向においてコンパクトにすることができる鍵盤装置を提供することにある。
【０００９】
本発明の第２の目的は、楽器を上下方向にコンパクトにしつつ鍵域を増やせる構造にすることができる電子鍵盤楽器を提供することにある。
【課題を解決するための手段】
【００１０】
上記第１の目的を達成するために本発明の請求項１の鍵盤装置は、押下操作されると非操作位置から押鍵終了位置まで押下方向に対して略平行に運動する鍵を複数有する鍵盤装置であって、前記各鍵が配設されるフレーム（２０）と、前記鍵において下方に突設されたアクチュエータ（３１）と、前記鍵の長手方向における前記アクチュエータの両側において前記鍵に設けられた第１の被ガイド部（３２ｆ）及び第２の被ガイド部（３２ｒ）と、前記アクチュエータに対応して前記フレームに配設され、前記アクチュエータによって駆動されて、押下された鍵を非操作位置の方向へ付勢する付勢手段（４６）と、前記第１の被ガイド部及び前記第２の被ガイド部に対応して前記フレームに配設され、前記第１の被ガイド部及び前記第２の被ガイド部とそれぞれ係合して前記鍵の動作をガイドする第１のガイド部（２２ｆ）及び第２のガイド部（２２ｒ）と、前記各鍵の操作時に平行状態を維持させるための平行維持手段（３４）と、を有し、前記平行維持手段は、前記鍵の長手方向に延設され前記鍵に対して回動自在に設けられた延設部（３５）と、前記フレームに対して前記鍵の幅方向に変位自在にされた可動部（３８ｆ、３８ｒ）と、前記延設部と前記可動部とを接続する接続部（３６ｆ、３６ｒ）とからなり、平面視において、前記接続部は、前記鍵の長手方向における前記第１の被ガイド部と前記第２の被ガイド部との間に存在することを特徴とする。
【００１１】
好ましくは、平面視において、前記平行維持手段の全体が、前記鍵の長手方向における前記第１の被ガイド部と前記第２の被ガイド部との間に存在する（請求項２）。好ましくは、前記接続部には第１の接続部（３６ｆ）と第２の接続部（３６ｒ）とがあり、前記可動部には第１の可動部（３８ｆ）と第２の可動部（３８ｒ）とがあり、前記第１の可動部が前記第１の接続部によって前記延設部に接続されると共に、前記第２の可動部が前記第２の接続部によって前記延設部に接続され、平面視において、前記第１の接続部は前記鍵の長手方向における前記第１の被ガイド部（３２ｆ）と前記付勢手段との間に存在し、前記第２の接続部は前記鍵の長手方向における前記第２の被ガイド部（３２ｒ）と前記付勢手段との間に存在する（請求項３）。
【００１２】
好ましくは、前記鍵の非操作位置から押鍵終了位置までの動作範囲に対応する前記平行維持手段の前記可動部の可動域は、対応する鍵の幅（Ｂ）の範囲内である（請求項４）。好ましくは、前記第１のガイド部及び前記第２のガイド部は、前記鍵の長手方向の長さよりも前記鍵の幅方向の長さの方が長い（請求項５）。
【００１３】
上記第１の目的を達成するために本発明の請求項６の電子鍵盤楽器は、複数の鍵を有する鍵盤部（ＫＢ）と、前記鍵の並び方向における前記鍵盤部の一端部側（１００ａ）に配置され、検出信号に基づき楽音信号を生成する楽音生成部（１２）と、前記鍵の各々の操作を検出して検出信号を出力する機能を有する積層構造の積層シート（Ｓ３）と、前記鍵の並び方向における前記鍵盤部の他端部側（１００ｂ）に配置され、複数の鍵を有する鍵ユニット（２００）を接続するためのコネクタ部（１５）と、前記コネクタ部に接続された鍵ユニットから出力される検出信号を前記楽音生成部へ転送するための信号ライン（５４）を有した転送用シート（４５）と、を有し、前記転送用シートは、前記積層シートに対して積層状態で配設されたことを特徴とする。
【００１４】
好ましくは、前記積層シートは、それぞれ各鍵に対応した接点（４２ａ、４４ａ）を有する上シート（４２）及び下シート（４４）と、前記接点に対応する穴（４３ａ）を有して前記上シートと前記下シートとの間に配置され、前記鍵の非操作状態において前記上シートと前記下シートの接点同士を離間状態にするスペーサシート（４３）とからなり、前記転送用シートは前記下シートの下に配置され、前記楽音生成部が実装される基板（１１）が、前記上シートの端部と前記転送用シートの端部とにより厚み方向に挟まれる（請求項７）。
【００１５】
好ましくは、前記転送用シートには、アースライン（５３）が配設されると共に、前記信号ライン（５４）が、前記コネクタ部に接続された鍵ユニットの各鍵に対応して配設される（請求項８）。好ましくは、前記鍵盤部の各鍵に対応して設けられ、対応する鍵に駆動されて該鍵に対して復帰力を与える弾性膨出部（４６）を有する弾性シート（４１）が、前記積層シートの上に積層配置される（請求項９）。
【００１６】
なお、上記括弧内の符号は例示である。
【発明の効果】
【００１７】
本発明の請求項１によれば、鍵の適切な平行移動を維持しつつ、長手方向においてコンパクトにすることができる。
【００１８】
請求項２によれば、長手方向において一層コンパクトにすることができる。請求項３によれば、鍵の平行移動を安定させることができる。請求項４によれば、各鍵の平行維持手段を鍵の幅方向においてコンパクトに配置できる。請求項５によれば、演奏操作時における鍵の左右への傾きを抑えることができる。
【００１９】
本発明の請求項６によれば、楽器を上下方向にコンパクトにしつつ鍵域を増やせる構造にすることができる。
【００２０】
請求項７によれば、シートと基板との電気的接続部分が上下方向において嵩張らないようにすることができる。請求項８によれば、転送用シートを１枚で構成し、厚みの増加を回避することができる。請求項９によれば、鍵の復帰機構を１枚のシートで構成し、厚みの増加を回避することができる。
【図面の簡単な説明】
【００２１】
【図１】本発明の一実施の形態に係る鍵盤装置としての電子鍵盤楽器とそれに接続される鍵ユニットの斜視図（図（ａ））、電子鍵盤楽器の左半部の平面図（図（ｂ））である。
【図２】電子鍵盤楽器の上カバーより右側の内部を示す斜視図である。
【図３】電子鍵盤楽器の後半部の内部を示す斜視図（図（ａ））、係止部の正面図（図（ｂ））、軸支部の正面図（図（ｃ））である。
【図４】図１（ｂ）のＡ−Ａ線に沿う断面図（図（ａ））、１つのスイッチ構造に着目したスイッチシートの断面図（図（ｂ））である。
【図５】ラバーシートを除くスイッチシートを積層順に示した平面図である。
【図６】電子鍵盤楽器に鍵ユニットが接続された状態における電気的接続関係を示す模式図である。
【図７】スイッチシートと基板との接続部分を示す模式的断面図である。
【図８】電子鍵盤楽器の右側面図である。
【図９】変形例の白鍵とそれに対応する構成を示す断面図（図（ａ）、（ｂ））である。
【図１０】変形例の固定部を採用した場合の、スイッチシートと基板との接続部分を示す模式的断面図である。
【発明を実施するための形態】
【００２２】
以下、本発明の実施の形態を図面を参照して説明する。
【００２３】
図１（ａ）は、本発明の一実施の形態に係る鍵盤装置としての電子鍵盤楽器とそれに接続される鍵ユニットの斜視図である。この鍵盤装置は、電子鍵盤楽器１００として構成される。
【００２４】
電子鍵盤楽器１００には、複数の鍵（白鍵ＷＫ及び黒鍵ＢＫ）を備える鍵盤部ＫＢが配設される。なお、電子鍵盤楽器１００でいう白鍵、黒鍵という呼称は、一般的な鍵盤楽器における白鍵と黒鍵に倣ったものであり、それらの色は白色、黒色であることは必須でなく、白鍵ＷＫ及び黒鍵ＢＫはあくまで相対的な配置位置によって区別される。白鍵ＷＫのうち特に最も低音側のものを特定して呼称するときには、白鍵ＷＫ１と記す。以降、鍵の長手方向を前後方向とし、鍵の並び方向を左右方向とする。
【００２５】
鍵盤部ＫＢの左側（一端部側）（電子鍵盤楽器１００の左端部１００ａ）の領域は上カバー１３によって覆われる。鍵盤部ＫＢの右側（他端部側）（電子鍵盤楽器１００の右端部１００ｂ）に、増設楽器を隣接して接続するためのコネクタ部１５が設けられる。鍵盤部ＫＢは、白鍵ＷＫ及び黒鍵ＢＫの各々が上面を水平に保ったまま押下方向（上下方向であり、押鍵面に垂直な方向）に対して略平行に運動するように構成された、いわゆる平行鍵盤として構成される。黒鍵ＢＫの側方の部分は、窪み部１４となっている。図１（ａ）では、白鍵ＷＫ及び黒鍵ＢＫが非操作位置にある。白鍵ＷＫ及び黒鍵ＢＫが押鍵終了位置にあるときには、白鍵ＷＫ及び黒鍵ＢＫの各上面が窪み部１４とほぼ面一になる。従って、グリッサンド演奏がやりやすい。
【００２６】
図１（ｂ）は、電子鍵盤楽器１００の左半部の平面図である。図１（ｂ）では、上カバー１３、後述する鍵フレーム２０（図２参照）のほか、一部の鍵を取り外した状態を図示している。コネクタ部１５に鍵ユニット２００を連結接続することで、鍵域を増やすことができる。電子鍵盤楽器１００を親機と考えれば、電子鍵盤楽器１００に接続される鍵ユニット２００は増設用の子機に相当する。
【００２７】
図２は、電子鍵盤楽器１００の上カバー１３より右側の内部を示す斜視図である。図３（ａ）は、電子鍵盤楽器１００の後半部の内部を示す斜視図である。図４（ａ）は、図１（ｂ）のＡ−Ａ線に沿う断面図である。
【００２８】
電子鍵盤楽器１００は、底部を構成する基台１０と、鍵フレーム２０とを有する。基台１０の上に鍵フレーム２０が配設される。基台１０と鍵フレーム２０との間に５層のスイッチシートＳ５が配設される。電子鍵盤楽器１００の左部において、上カバー１３は、基台１０の上方に配置されるが、鍵フレーム２０は上カバー１３の下方にまで及んでいない。鍵フレーム２０の後部において、白鍵ＷＫや黒鍵ＢＫが配置されない領域には、上方に突出した段差部２４が形成されており、段差部２４の上面が、電子鍵盤楽器１００の最上面より下方に窪んだ窪み部１４となっている（図２）。上カバー１３の下方において、基台１０の上には基板１１が配設され、基板１１上には音源を含む制御部１２が実装される（図１（ｂ））。
【００２９】
各鍵とそれに対応する鍵フレーム２０等の各部分構成は各鍵間でほぼ共通するので、代表として、白鍵ＷＫ１及びそれに対応する構成を詳細に説明する。鍵フレーム２０の主領域の上面であるベース面２０ａには、スイッチ用穴２１が形成され、スイッチ用穴２１の前後に円筒状のガイド部２２ｆ、２２ｒが上方に突設形成される（図２、図４（ａ））。ガイド部２２ｆ、２２ｒは、それぞれ、ガイド穴２２ｆａ、２２ｒａを有する（図２、図４（ａ））。
【００３０】
図２に示すように、スイッチ用穴２１の前後であって、やや右側において、鍵フレーム２０には係止部２３ｆ、２３ｒが突設して設けられる。係止部２３ｆ、２３ｒは前後方向においてはガイド部２２ｆとガイド部２２ｒとの間に位置する。また、係止部２３ｆ、２３ｒは、それぞれ、鍵に復帰力を与える弾性膨出部４６とガイド部２２ｆとの間、弾性膨出部４６とガイド部２２ｒとの間に位置する。また、係止部２３ｆ、２３ｒは、対応する白鍵ＷＫ１の横幅の範囲内に位置する（図１（ｂ）も参照）。
【００３１】
図４（ａ）に示すように、白鍵ＷＫ１は、いずれも鍵本体から下方に突設された、アクチュエータ３１と前後２つの被ガイド部３２ｆ、３２ｒとを有する。被ガイド部３２ｆ、３２ｒは、白鍵ＷＫ１の長手方向におけるアクチュエータ３１の両側に配置され、被ガイド部３２ｆが前側に位置する（図１（ｂ）も参照）。被ガイド部３２ｆ、３２ｒは、ガイド部２２ｆ、２２ｒに対応して設けられ、ガイド穴２２ｆａ、２２ｒａの内面によってガイドされるようになっている。アクチュエータ３１は、スイッチ用穴２１の位置に対応している。
【００３２】
白鍵ＷＫ１の左端部下部には、前後に軸支部３３ｆ、３３ｒが形成される。前後方向において、軸支部３３ｆは被ガイド部３２ｆとアクチュエータ３１との間に位置し、軸支部３３ｒは被ガイド部３２ｒとアクチュエータ３１との間に位置する。
【００３３】
５層からなるスイッチシートＳ５についての詳細は図５、図６等で後述するが、最も上のシートは、ゴム等の弾性部材で構成されるラバーシート４１（図１（ｂ）、図４（ａ））である。スイッチシートＳ５には、各鍵に対応してスイッチ部ＳＷ（可動接点４２ａ及び固定接点４４ａ）が設けられる。ラバーシート４１には、各スイッチ部ＳＷをオン・オフするためのアクチュエータ４７を有した弾性膨出部４６が形成される。弾性膨出部４６がアクチュエータ３１によって押下駆動されるように、弾性膨出部４６はアクチュエータ３１の位置に対応している。平面視で、弾性膨出部４６の裾野の最大外形はアクチュエータ３１の最大外形よりも大きい。
【００３４】
なお、黒鍵ＢＫにおいては、図２に示すように、鍵の側壁下面に逃げ部４８が切り欠いて形成されている。弾性膨出部４６の構成は白鍵ＷＫのものと同様である。これにより、押下操作時に、対応する弾性膨出部４６に対して黒鍵ＢＫの側壁が当接することを回避し、上下方向のコンパクト化を維持しつつ大きなサイズの弾性膨出部４６を配設可能になっている。あるいは、設計によっては、黒鍵ＢＫの幅を小さくするのに有利となる。
【００３５】
弾性膨出部４６は、対応する鍵に駆動されて該鍵に対して復帰力を与える。非操作状態において、弾性膨出部４６は少し潰れて非押鍵位置の方向へ鍵を付勢している。ガイド部２２ｆ、２２ｒのガイド穴２２ｆａ、２２ｒａに被ガイド部３２ｆ、３２ｒがそれぞれ挿入される。被ガイド部３２ｆ、３２ｒの下端にワッシャ等を介してフランジが固定され、抜け止めがなされている。弾性膨出部４６からの反力（付勢力）によって白鍵ＷＫ１の非押鍵位置が規制される。また、押鍵終了位置まで押下された白鍵ＷＫ１は、弾性膨出部４６からの反力によって非押鍵位置に復帰する。
【００３６】
図２に示すように、鍵フレーム２０のベース面２０ａと白鍵ＷＫ１との間には、上下移動する鍵の平行状態を維持するための平行維持手段として、平行維持部材３４が介装される。平行維持部材３４は、棒部材で成り、平面視で長方形の一部を除去した形状をしている。平行維持部材３４は、例えば、断面円形に金属等で一体に形成され、延設部３５、接続部３６ｆ、３６ｒ、可動部３８ｆ、３８ｒを有する。延設部３５は鍵の長手方向に延設される。接続部３６ｆ、３６ｒはそれぞれ、延設部３５の前端部、後端部に連接し、接続部３６ｆ、３６ｒに可動部３８ｆ、３８ｒが連接する。すなわち、可動部３８ｆ、３８ｒは、接続部３６ｆ、３６ｒによって延設部３５に接続される。
【００３７】
図３（ｂ）は、係止部２３ｒの正面図である。図３（ｃ）は、軸支部３３ｒの正面図である。係止部２３ｆの構成は係止部２３ｒと同様であり、軸支部３３ｆの構成は軸支部３３ｒと同様であるので、主に係止部２３ｒ、軸支部３３ｒについて説明する。
【００３８】
図３（ｂ）に示すように、係止部２３ｒは、右方にコ字状に開口する凹部２３ｒａを有する。可動部３８ｒは凹部２３ｒａ内を左右方向（鍵の幅方向）に摺動自在に凹部２３ｒａに係合する。係止部２３ｒは、白鍵ＷＫ１の右側の側端位置からはみ出ず、鍵幅Ｂの範囲内に配置される。白鍵ＷＫ１の非押鍵位置から押鍵終了位置までの移動に対応する可動部３８ｒの左右方向の可動範囲は、凹部２３ｒａ内であって凹部２３ｒａの底部２３ｒａ１に当接しない範囲である。係止部２３ｆと可動部３８ｆとの関係もこれと同じである。
【００３９】
図３（ｃ）に示すように、軸支部３３ｒには、下方に開口した軸受け部３３ｒａが形成される。軸受け部３３ｒａは正面視で略半円状であるが、所定の値を曲率半径とする曲面の角度範囲は１８０度以上とされる。軸受け部３３ｒａの曲率半径の２倍よりもやや小さい幅の幅狭部３３ｒｂが軸受け部３３ｒａの下部に連接して形成される。軸受け部３３ｒａの曲率半径の２倍は延設部３５の直径よりも少し大きい。延設部３５は、軸受け部３３ｒａ内を回動自在に軸受け部３３ｒａに係合する。軸支部３３ｆと延設部３５との関係もこれと同じである。
【００４０】
平行維持部材３４は次のようにして配設される。まず、延設部３５を、白鍵ＷＫ１の幅狭部３３ｒｂを通過させて軸受け部３３ｒａに係合させる。幅狭部３３ｒｂは延設部３５の直径よりも少し小さい。従って、幅狭部３３ｒｂによって延設部３５は簡易的な抜け止め状態で軸受け部３３ｒａに嵌合される。また、嵌め込み作業が容易である。軸支部３３ｆに対しても同様に延設部３５を係合させる。こうして平行維持部材３４が取り付けられた白鍵ＷＫ１をベース面２０ａに配設する際に、可動部３８ｒを係止部２３ｒの凹部２３ｒａに対して右方から係合させる。それと同時に可動部３８ｆについても係止部２３ｆに対して係合する。なお、可動部３８ｆ、３８ｒは前後方向に短いので、接続部３６ｆ、３６ｒを一旦撓ませることで前後方向から係止部２３ｆ、２３ｒに係合させてもよい。
【００４１】
このようにして、延設部３５は白鍵ＷＫ１に対して延設部３５の軸方向を軸中心として回動自在になると共に、可動部３８ｆ、３８ｒが係止部２３ｆ、２３ｒに対して鍵幅方向に変位自在となる。接続部３６ｆ、３６ｒは、正面視で右側が低くなるよう傾斜している。平行維持部材３４の配設に関する、他の白鍵ＷＫに対応する構成も白鍵ＷＫ１のものと同様である。
【００４２】
白鍵ＷＫ１が非押鍵位置から押下操作されると、被ガイド部３２ｆ、３２ｒにガイド部２２ｆ、２２ｒの各ガイド穴２２ｆａ、２２ｒａに案内されるので、白鍵ＷＫ１は押鍵面が水平状態を保ったまま押鍵終了位置まで平行に変位していく。しかし、白鍵ＷＫ１は前後方向に長く、押鍵位置は前後方向における中央とは限らず、むしろ前部であることが多い。そのため、白鍵ＷＫ１には前後方向に傾斜する力が働き、ガイド部２２ｆ、２２ｒによる案内が円滑にならないおそれがある。そこで、平行維持部材３４を介装することで平行状態が維持されるようになる。延設部３５が押鍵時にねじれを起こさない限り、白鍵ＷＫ１は適切に平行移動する。
【００４３】
白鍵ＷＫ１が上下方向に変位する際、延設部３５は軸支部３３ｆ、３３ｒで回動する。それに伴い、可動部３８ｆ、３８ｒが係止部２３ｆ、２３ｒに対して鍵幅方向に変位することで、接続部３６ｆ、３６ｒの傾斜角度が変化する。延設部３５は前後方向に長いため、白鍵ＷＫ１が上下方向に変位する過程で白鍵ＷＫ１を前後方向において平行に保つ機能を果たす。これにより鍵の平行運動を安定させることができる。
【００４４】
なお、黒鍵ＢＫに関しては前後方向の長さが短く、前後方向の倒れが生じにくい。そのため、平行維持部材３４を必要としない構造であるが、白鍵ＷＫと同様に設けてもよい。
【００４５】
図４（ｂ）は、１つのスイッチ構造に着目したスイッチシートＳ５の断面図である。各シートの厚みは非常に薄いため、構造を理解しやすいように、図４（ｂ）ではシート部分については厚み方向を誇張して大きく描いてある。スイッチシートＳ５は、上から順に、ラバーシート４１、上シート４２、スペーサシート４３、下シート４４、転送用シート４５が積層配置されて成る。このうち上シート４２、スペーサシート４３及び下シート４４で、鍵の各々の操作を検出して検出信号を出力する機能を有する積層構造の３層シートＳ３が構成される。ラバーシート４１には、各鍵に対応して弾性膨出部４６が上方に突出形成される。弾性膨出部４６の天井部４６１からはアクチュエータ４７が垂下形成される。
【００４６】
図５は、ラバーシート４１を除くスイッチシートＳ５を積層順に示した平面図である。図６は、電子鍵盤楽器１００に鍵ユニット２００が接続された状態における電気的接続関係を示す模式図である。図５は平面視で示されているので、シートの上面にプリントされた線は実線で、シートの下面にプリントされた線は点線で示されている。シート４２、４４、４５の左端部（図５でいう左側）が、基板１１を介して制御部１２に電気的に接続される。
【００４７】
図５に示すように、上シート４２の裏面（下面）には、各鍵のアクチュエータ４７に対応して可動接点４２ａが設けられる（図４（ｂ）も参照）。可動接点４２ａの各々からは信号ライン５２（黒鍵用ライン５２Ｂ、白鍵用ライン５２Ｗ）が上シート４２の左端にまで延設されている。さらに、上シート４２の左端部には、信号ライン５２の奥側（後側）に隣接して、アースライン５１が敷設される。
【００４８】
スペーサシート４３には、可動接点４２ａに対応して穴４３ａが形成されている。下シート４４の表面（上面）には、可動接点４２ａに対応して固定接点４４ａが設けられる（図４（ｂ）も参照）。可動接点４２ａ及び固定接点４４ａでスイッチ部ＳＷが構成される。固定接点４４ａについては、後側の黒鍵ＢＫ用のものがアースライン５５で直列に接続されると共に、前側の白鍵ＷＫ用のものがアースライン５５で直列に接続され、アースライン５５同士が左側で接続され、接続された部分の端部５５ａが下シート４４の突出片４４ｃの左端に達している。
【００４９】
転送用シート４５には、信号ライン５４（黒鍵用ライン５４Ｂ、白鍵用ライン５４Ｗ）が転送用シート４５の左端にまで延設して敷設されている。さらに、転送用シート４５の左端部には、信号ライン５４の奥側（後側）に隣接して、アースライン５３が敷設される。
【００５０】
上シート４２と下シート４４との間にスペーサシート４３が存在するので、図４（ｂ）に示すように、非押鍵状態においては、可動接点４２ａと固定接点４４ａとは穴４３ａを介して離間状態になっている。鍵が押下操作されて弾性膨出部４６がアクチュエータ３１によって押下駆動されると、アクチュエータ４７によって上シート４２が押下され、可動接点４２ａと固定接点４４ａとが接触（メイク）する。これにより押鍵が検出される。
【００５１】
例えば、図６で、白鍵ＷＫ（音高Ｃ１）で例示すると、白鍵ＷＫ（音高Ｃ１）の可動接点４２ａに接続されている信号ライン５２と白鍵ＷＫ（音高Ｃ１）の固定接点４４ａに接続されているアースライン５５とが接点同士で導通する。これにより、白鍵ＷＫ（音高Ｃ１）のＯＮの検出信号が制御部１２へ送られ、押鍵されたことが検出される。実際の音高としては、Ｃ１がいわゆる中央のＣである。
【００５２】
一方、子機となる鍵ユニット２００においては、転送用シート４５を除く４層のシート４１〜４４が親機となる電子鍵盤楽器１００と同様に配設される（図６参照）。鍵ユニット２００における上シート４２の信号ライン５２、下シート４４のアースライン５５はそれぞれ、コネクタ部１５を介して電子鍵盤楽器１００における転送用シート４５における信号ライン５４、アースライン５３に電気的に接続される（図５、図６）。なお、鍵ユニット２００における上シート４２のアースライン５１は使用されない。
【００５３】
転送用シート４５の信号ライン５４は、コネクタ部１５に接続された鍵ユニット２００から出力される検出信号を制御部１２へ転送するための信号線である。鍵ユニット２００において、電子鍵盤楽器１００と同様にして押鍵がされると、鍵ユニット２００からは、ＯＮの検出信号が、押下された鍵にそれぞれ対応する上シート４２の信号ライン５２と下シート４４のアースライン５５とから、コネクタ部１５を介して、電子鍵盤楽器１００の転送用シート４５の信号ライン５４、アースライン５３へと転送される。そして、信号ライン５４、アースライン５３を介して検出信号が制御部１２に供給される。
【００５４】
なお、詳細は図示しないが、制御部１２は、ＣＰＵ、ＲＯＭ、ＲＡＭのほか、音源回路、効果回路等を備える。制御部１２は、検出信号に基づき楽音信号を生成し、押下された鍵に対応した音高の楽音を出力することができる。鍵域に関して、鍵ユニット２００は、電子鍵盤楽器１００よりも高音側の音高を担当するように制御部１２は制御する。従って、鍵ユニット２００を連結することで実質的に音域が拡大する。なお、楽音の出力インターフェイスとしてヘッドフォン端子（不図示）を有するが、上カバー１３内等にスピーカを内蔵してもよい。
【００５５】
アースライン５１、５３、５５、信号ライン５２、５４の基板１１への接続態様の一例を図７で説明する。図７は、スイッチシートＳ５と基板１１との接続部分を示す模式的断面図であり、厚み方向は誇張してある。スイッチシートＳ５は左端部が固定部Ｔにおいて基板１１に固定される。シート４２、４５には不図示の締結用穴が形成される。基板１１の上側に樹脂製の上側押さえ部６４、ゴム材６３が乗り、基板１１の下側に樹脂製の下側押さえ部６５、ゴム材６６が配置され、シート４２、４５は、基板１１を上下方向から挟みこむようにしてネジ６１とナット６２とによって共締めされる。なお、下シート４４については、上シート４２の左端よりやや右側の位置まで延設された突出片４４ｃだけが、上シート４２と基板１１との間に挟持される。従って、基板１１は、上シート４２の左端部及び下シート４４の突出片４４ｃと転送用シート４５の左端部とにより厚み方向に挟まれる。
【００５６】
基板１１の上面であって上シート４２と対向する部分には、信号ライン５２、アースライン５１に対応する端子が設けられている。一方、基板１１の下面であって転送用シート４５と対向する部分には、信号ライン５４、アースライン５３に対応する端子が設けられている。なお、下シート４４の突出片４４ｃに設けられたアースライン５５の端部５５ａについては、上シート４２のアースライン５１を経由して、基板１１の端子に電気的に接続される。
【００５７】
図８は、電子鍵盤楽器１００の右側面図である。コネクタ部１５は、電子鍵盤楽器１００の右端部に設けられる。コネクタ部１５は、信号端子群１６、１つのアース端子１７、複数のマグネット１８を有する。信号端子群１６は複数の信号端子１６ａからなり、信号端子１６ａの各々は、転送用シート４５の信号ライン５４の右端部に電気的に接続されている。アース端子１７は、転送用シート４５のアースライン５３の右端部に電気的に接続されている。
【００５８】
連結対象となる鍵ユニット２００の左端部にも、コネクタ部１５に対応するコネクタ部が構成される。コネクタ部１５に鍵ユニット２００を接続すると、鍵ユニット２００における上シート４２の信号ライン５２に接続された端子群、下シート４４のアースライン５５に接続された端子が、それぞれコネクタ部１５の信号端子群１６、アース端子１７に電気的に接続される。鍵ユニット２００にはマグネット１８に対向して磁性部が設けられ、コネクタ部１５と鍵ユニット２００との物理的な連結状態が安定的に維持される。
【００５９】
本実施の形態によれば、平面視において、平行維持部材３４の全体が、鍵の長手方向における被ガイド部３２ｆと被ガイド部３２ｒとの間に存在するので、鍵の適切な平行移動を維持しつつ、長手方向においてコンパクトにすることができる。特に、接続部３６ｆ、３６ｒは、前後方向における被ガイド部３２ｆと被ガイド部３２ｒの内側に存在するので、被ガイド部３２ｆと被ガイド部３２ｒは、前後方向においてなるべく離間した位置に配置することが容易となる。その結果、被ガイド部３２によるガイド性が高まるという利点がある。
【００６０】
また、鍵の非操作位置から押鍵終了位置までの動作範囲に対応する平行維持部材３４の可動部３８ｆ、３８ｒの可動域は、対応する鍵の鍵幅Ｂの範囲内であるので、平行維持部材３４を、鍵側方にはみ出ることなく、鍵幅方向においてコンパクトに配置できる。
【００６１】
本実施の形態によればまた、コネクタ部１５に接続された鍵ユニット２００から出力される検出信号を制御部１２へ転送するための信号ライン５４を有した転送用シート４５が、３層シートＳ３の下シート４４の下に積層状態で配設されるので、楽器を上下方向にコンパクトにしつつ鍵域を増やせる構造にすることができる。
【００６２】
また、基板１１が、上シート４２の端部と転送用シート４５の端部とにより厚み方向に挟まれるので、各シートと基板１１との電気的接続部分が上下方向において嵩張らないようにすることができる。また、ネジ締めによって、スイッチシートＳ５の基板１１との接続部分に曲げがあまり生じないので、接続不良のおそれも小さくなる。
【００６３】
転送用シート４５には、アースライン５３と信号ライン５４とが、鍵ユニット２００の各鍵に対応して配設されるので、信号を転送するためのシートを１枚で構成し、厚みの増加を回避することができる。また、鍵に対して復帰力を与える弾性膨出部４６を有するラバーシート４１が、３層シートＳ３の上に積層配置されたので、鍵の復帰機構を１枚のシートで構成し、厚みの増加を回避することができる。
【００６４】
なお、楽器を長手方向においてコンパクトにする観点からは、少なくとも、平行維持部材３４の接続部３６ｆ、３６ｒに相当する部分が、鍵の長手方向における被ガイド部３２ｆと被ガイド部３２ｒとの間に存在するように構成すればよい。
【００６５】
図９（ａ）、（ｂ）は、変形例の白鍵とそれに対応する構成を示す断面図である。これらの図は、図４（ａ）のＢ−Ｂ線に沿う断面に相当する。例えば、図９（ａ）に変形例を例示するように、接続部３６ｆ、３６ｒが被ガイド部３２ｆ、３２ｒ間に配置されれば、延設部３５は被ガイド部３２ｆ、３２ｒの位置を超えて前後に長くてもよい。なお、図９（ａ）の例では、図１〜図８の構成に対して、係止部２３ｆ、２３ｒと軸支部３３ｆ、３３ｒとの位置関係、並びに、延設部３５と可動部３８ｆ、３８ｒとの位置関係が、左右方向で反対になっている。
【００６６】
また、図９（ｂ）に示すように、被ガイド部３２ｆ、３２ｒ及びガイド部２２ｆ、２２ｒを、左右方向（鍵幅方向）に長く形成してもよい。このようにすれば、操作される鍵の左右方向への傾きを抑制でき、グリッサンド等の演奏が円滑になる。また、それによって被ガイド部３２の前後方向の幅を小さくできれば、接続部３６ｆ、３６ｒ間の距離をより長く設定できるようになり、平行維持の機能が一層適切に果たされる。
【００６７】
なお、スイッチシートＳ５の左端部を基板１１に固定する固定部の構成は、図７に示した構成に限られない。図１０は、変形例の固定部を採用した場合の、スイッチシートＳ５と基板１１との接続部分を示す模式的断面図であり、厚み方向は誇張してある。この固定部Ｔ２はコネクタタイプであり、上側固定部７１と下側固定部７２とを備える。上側固定部７１からは、上シート４２の信号ライン５２、アースライン５１に対応して端子ピン７５が垂下される。端子ピン７５は基板１１を下方へ貫通する。下側固定部７２からは、転送用シート４５の信号ライン５４、アースライン５３に対応して端子ピン７６が上方に突設される。端子ピン７６は基板１１を上方へ貫通する。前後方向において、端子ピン７５と端子ピン７６とは干渉しないように位置チをずらして配置されている。端子ピン７５、７６は制御部１２に電気的に接続されている。
【００６８】
上側固定部７１に形成された挿入口７３に上シート４２の左端部が挿入され、信号ライン５２、アースライン５１が端子ピン７５に電気的に接続される。下側固定部７２に形成された挿入口７４に転送用シート４５の左端部が挿入され、信号ライン５４、アースライン５３が端子ピン７６に電気的に接続される。
【００６９】
なお、図７で説明したのと同様に、下シート４４については、突出片４４ｃだけが、上シート４２の下に重ねられて挿入口７３にされる構成としてもよい。あるいは、突出片４４ｃに設けられたアースライン５５の端部５５ａについては、別途、ジャンパ線とスルーホールを介して基板１１の端子部に接続してもよい。あるいは、突出片４４ｃを上シート４２の後方に位置するように形成すると共に、端部５５ａに対応する端子ピンを端子ピン７５に隣接して設け、突出片４４ｃを挿入口７３に挿入することで上記端子ピンに端部５５ａが電気的に接続される構成としてもよい。
【００７０】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００７１】
ＫＢ  鍵盤部、  ＷＫ  白鍵、  ＢＫ  黒鍵、  ＳＷ  スイッチ部、  Ｓ３  ３層シート（積層シート）、  １１  基板、  １２  制御部（楽音生成部）、  １５  コネクタ部、  ２０  鍵フレーム（フレーム）、  ２２ｆ  ガイド部（第１のガイド部）、  ２２ｒ  ガイド部（第２のガイド部）、  ３１  アクチュエータ、  ３２ｆ  被ガイド部（第１の被ガイド部）、  ３２ｒ  被ガイド部（第２の被ガイド部）、  ３４  平行維持部材（平行維持手段）、  ３５  延設部、  ３６ｆ  接続部（第１の接続部）、  ３６ｒ  接続部（第２の接続部）、  ３８ｆ  可動部（第１の可動部）、  ３８ｒ  可動部（第２の可動部）、  ４１  ラバーシート（弾性シート）、  ４２  上シート、  ４２ａ  可動接点、  ４３  スペーサシート、  ４３ａ  穴、  ４４  下シート、  ４４ａ  固定接点、  ４５  転送用シート、  ４６  弾性膨出部（付勢手段）、  ５３  アースライン、  ５４  信号ライン、  １００  電子鍵盤楽器、  １００ａ  左端部、  １００ｂ  右端部、  ２００  鍵ユニット
【図１】
2016151698.tif 000003
【図２】
2016151698.tif 000004
【図３】
2016151698.tif 000005
【図４】
2016151698.tif 000006
【図５】
2016151698.tif 000007
【図６】
2016151698.tif 000008
【図７】
2016151698.tif 000009
【図８】
2016151698.tif 000010
【図９】
2016151698.tif 000011
【図１０】
2016151698.tif 000012